(57)【特許請求の範囲】
【請求項１】
トップカバー裏側に進退自在に設けられヘッドを保持するヘッドアームを備えたディスク装置において、前記トップカバー裏側のカートリッジ挿抜空間部上方に弾性変形可能なカートリッジ挿入防止アームを片持ち支持し、このカートリッジ挿入防止アームの自由端部に前記トップカバーの変形によるアーム反自由端部の変位によって前記カートリッジ挿抜空間部に臨む突子を設けたことを特徴とするディスク装置。
【請求項２】
前記カートリッジ挿入防止アームは、前記トップカバーまたはディスク装置用側板に両端支持された弾性変形可能なビームに設けられていることを特徴とする請求項１記載のディスク装置。
【請求項３】
前記カートリッジ挿入防止アームがディスク装置用スライド板に一体に設けられていることを特徴とする請求項１記載のディスク装置。
【請求項４】
前記カートリッジ挿入防止アームがディスク回転用モータのカートリッジ引き抜き側に位置付けられていることを特徴とする請求項１記載のディスク装置。
【発明の詳細な説明】
【０００１】
【産業上の利用分野】
本発明は、例えばフロッピィーディスク等のディスクを記録・再生するディスク装置に関するものである。
【０００２】
【従来の技術】
例えばフロッピィーディスク装置等のディスク装置は、パーソナルコンピュータやオフィスコンピュータ等に広く用いられており、その普及は目覚ましい。
【０００３】
一般に、この種のディスク装置には、ディスクカートリッジを挿抜自在に保持するカートリッジホルダーと、このカートリッジホルダーに昇降動作を付与するスライド板と、このスライド板の移動方向にヘッドキャリッジを移送するヘッドキャリッジ駆動装置とを備えたものが知られている。
【０００４】
このように構成されたディス装置においては、カートリッジホルダー内にディスクカートリッジを挿入すると、スライド板のカートリッジ引き抜き方向の移動によるカートリッジホルダーの下降動作によってディスクカートリッジがアンローディング位置からローディング位置まで移送され、またエジェクト釦をカートリッジ挿入方向に押圧すると、スライド板のカートリッジ挿入方向の移動によるカートリッジホルダーの上昇動作によってディスクカートリッジがローディング位置からアンローディング位置まで移送される。
【０００５】
そして、ヘッドキャリッジ駆動装置が駆動することによりヘッドキャリッジをカートリッジ挿抜方向に移送して記録・再生が行われる。
【０００６】
ところで、この種のディスク装置においては、移動型仕様とするものが出現しており、ユーザーがコンピュータ内からコンピュータ外に直接取り出すことが想定される。
【０００７】
この際、ディスク装置内の各種機構を保護するトップカバーにユーザーの押圧力が作用してトップカバーが変形し、このカバー変形によってヘッドアームが押し下げられることがある。
【０００８】
このヘッドアームが押し下げられた状態において、ディスクカートリッジがディスク装置内に挿入されると、ディスクカートリッジの押圧によってヘッドが破壊するという不具合がある。
【０００９】
このため、トップカバーの厚さを大きい寸法に設定することにより剛性を高くしてカバー変形の発生を防止することが考えられるが、近年におけるディスク装置の薄型化に伴い、各部品厚さ方向の寸法規制が厳しくなり、現状のカバー厚さより小さい寸法に設定することが困難になってきている。
【００１０】
そこで、この種のディスク装置においては、ヘッドの破壊発生を防止する機構としてトップカバーにカートリッジ挿入防止用の突部を一体化してなるものが従来より採用されている。
【００１１】
このように構成されたディスク装置においては、トップカバーの変形時にヘッドアームが押し下げられると、トップカバーと共に変位する突部によってカートリッジ挿抜空間部に対するディスクカートリッジの挿入が阻止される。
【００１２】
【発明が解決しようとする課題】
しかるに、従来のディスク装置においては、トップカバーに突部が設けられているため、トップカバーの変形時にトップカバーの変位量と突部の変位量が同一であった。
【００１３】
この結果、トップカバーの変形量が小さいと、ヘッドアームが押し下げられた状態であっても、突部によってカートリッジ挿抜空間部に対するディスクカートリッジの挿入を阻止することができず、ヘッドの破壊発生を確実に防止することができないという問題があった。
【００１４】
本発明はこのような事情に鑑みてなされたもので、トップカバーの変形量が小さくても、突部によってカートリッジ挿抜空間部に対するディスクカートリッジの挿入を阻止することでき、もってヘッドの破壊発生を確実に防止することができるディスク装置を提供するものである。
【００１５】
【課題を解決するための手段】
本発明に係るヘッドキャリッジ駆動装置は、トップカバー裏側のカートリッジ挿抜空間部上方に弾性変形可能なカートリッジ挿入防止アームを片持ち支持し、このカートリッジ挿入防止アームの自由端部にトップカバーの変形によるアーム反自由端部の変位によってカートリッジ挿抜空間部に臨む突部を設けたものである。
【００１６】
【作用】
本発明においては、トップカバーの変形時にカートリッジ挿入防止アームの反自由端部の変位によって変位する突部の変位量がトップカバーの変位量より大きくなる。
【００１７】
【実施例】
以下、本発明の構成等を図に示す実施例によって詳細に説明する。
【００１８】
図１は本発明に係るディスク装置の要部を示す分解斜視図、図２は同じく本発明におけるディスク装置の要部を示す平面図、図３は本発明におけるディスク装置の全体を示す分解斜視図、図４は本発明におけるディスク装置のスライド板を示す平面図である。
【００１９】
同図において、符号１で示すものはディスク回転中心としてのスピンドルモータ軸２およびこのスピンドルモータ軸２の駆動によって回転するディスクテーブル３を内蔵する板金製のシャーシで、各々が互いに対向する２つの側板４，５およびこれら両側板４，５を連結する底板６からなり、例えばパーソナルコンピュータ等の機器筐体（図示せず）内に収納されている。
【００２０】
このシャーシ１の両側板４，５のうち右側板５には前後方向略中央部には、上方に開口しかつ上下方向に延在する第１ガイド溝７が設けられている。
【００２１】
この右側板５には、ディスクカートリッジＤの挿抜方向に延在するピン移動用の水平溝８ａおよびこの水平溝８ａに連通するピン着脱用の垂直溝８ｂからなる第２ガイド溝８が設けられている。
【００２２】
また、左側板４には、前記第２ガイド溝８に対応し水平溝からなる第３ガイド溝８Ａが設けられている。
【００２３】
一方、このシャーシ１の底板６の左側縁には、前後方向に開口する貫通孔９ａを有する保持体９および上下方向に延在し第１ガイド溝７に対応する第４ガイド溝７Ａ１を有する側部壁７Ａが設けられている。
【００２４】
この底板６の後方端部両側縁には、シャーシ幅方向に各々が互いに並列するカートリッジ位置決め用の突子６ｃ１を有する２つの切り起こし片６ｃが形成されている。
【００２５】
また、この底板６の後方端縁には、前記左側板４の近傍に位置する第１立ち上がり壁６ａおよびこの第１立ち上がり壁６ａの後方に空隙Ｇをもって第２立ち上がり壁６ｂが一体に設けられている。
【００２６】
１０１は板金製のトップカバーで、前記底板６に対向する天井部１０１ａおよびこの天井部１０１ａに連接しかつ前記各側板４，５に対接する側部１０１ｂ，１０１ｃからなり、前記シャーシ１に装着されている。
【００２７】
このトップカバー１０１には、前記天井部１０１ａの後方端縁一部を折り曲げることにより前記第２立ち上がり壁６ｂに対接する背面部１０１ｄが形成されている。
【００２８】
１０はヘッドキャリッジ送り用の駆動モータとしてのステッピングモータで、モータ機構（図示せず）を内蔵するモータハウジング１０ａおよび前記第１立ち上がり壁６ａの外側端面に対接するモータハウジング取付用のフランジ１０ｂとからなり、前記保持体９の後方に後述するモータ取付部材によって固定されている。
【００２９】
このステッピングモータ１０の出力軸１１は、螺旋状のＶ字溝１１ａを有し前後方向（カートリッジ挿抜方向）に延在するリードスクリュー軸によって形成されている。
【００３０】
そして、この出力軸１１は、前記第１立ち上がり壁６ａを挿通してカートリッジ装着位置におけるディスクカートリッジＤの側方に配置され、かつ先端部が前記保持体９の貫通孔９ａ内に軸受２０１を介して支承されている。
【００３１】
１０２はモータ取付部材としての金具で、前記モータハウジング１０ａを挾持する弾性変形可能な２つの保持片１０５（一方のみ図示）とからなり、前記第１立ち上がり壁６ａによって固定されている。
【００３２】
１２は前記出力軸１１に平行するガイド軸で、前記シャーシ１の底板６における前記側板４の近傍に保持されており、後述するヘッドキャリッジをカートリッジ挿抜方向に案内し得るように構成されている。
【００３３】
１３はヘッドキャリッジ移動用の基台で、前記出力軸１１を介して対向する上下部片１３ａ，１３ｂと、これら両部片１３ａ，１３ｂを連結する側部片１３ｃとからなり、前記ステッピングモータ１０の駆動によってカートリッジ挿抜方向に進退し得るように構成されている。
【００３４】
１４はスプリング装着部１４ａおよびスプリング係止溝１４ｂを有するアーム押え板、前記基台１３の上部片１３ａに固定されている。
【００３５】
１５は後述するヘッドアームを押圧付勢する捩りコイルスプリングで、スプリング巻線部が前記スプリング装着部１４ａに装着され、かつ反アーム接触端部が前記スプリング係止溝１４ｂに係止されている。
【００３６】
１６は前記出力軸１１に押圧接触するシャフト押え板で、上方に突出するスプリング装着用の突部１６ａ１を有する断面視コ字状の基部片１６ａと、この基部片１６ａに連接する側部片１６ｂ，１６ｃとからなり、前記基台１３と前記アーム押え板１４との間に進退自在に設けられている。
【００３７】
１７は前記シャフト押え板１６を前記出力軸１１に押圧付勢する圧縮コイルスプリングで、前記突部１６ａ１の周囲に設けられ、かつ前記基部片１６ａと前記アーム押え板１４との間に弾装されている。
【００３８】
１８はカートリッジ挿抜方向と交差するような方向に延在するヘッドキャリッジで、前記出力軸１１上に基台１３を介して進退自在に設けられている。
【００３９】
このヘッドキャリッジ１８の先端部には記録・再生を行うヘッド１９が取り付けられており、キャリッジ略中間部には前記ガイド軸１２が挿通するシャフト挿通孔１８ａおよび前記両切り起こし片６ｃのうち左側の切り起こし片６ｃが臨む長孔１８ｂが設けられている。
【００４０】
２０は前記ヘッドキャリッジ１８と同様にカートリッジ挿抜方向と交差するような方向に延在するヘッドアームで、アーム一方端部が前記基台１３上に保持されており、アーム他方端部には前記ヘッド１９に対応するヘッド２１が取り付けられている。
【００４１】
このヘッドアーム２０には、前記基台１３と前記アーム押え板１４との間に介在する弾性片２２が連結されている。
【００４２】
２３は下方に開口する断面視略コ字状のスライド板で、左右方向に延在する前面片２４および各々が互いに補強用のビーム１１１によって連結され前後方向に延在する２つの側片２５，２６を有する天井板２７と、この天井板２７の各側片２５，２６に下方に折り曲げることにより形成され前後方向に延在する２つの側板２９，３０とからなり、前記シャーシ１上にカートリッジ挿抜方向に進退自在に設けられている。
【００４３】
このうち天井板２７の前面片２３の前方端縁右側部には、一部を切り起こし形成することにより前方から後方に向かって下る舌片状の傾斜突子３１をその下面に有する平面視矩形状の取付片３２が一体に設けられている。
【００４４】
この前面片２３のエジェクト釦取付位置近傍にはカートリッジ挿抜方向に延在する長孔３３が前記取付片３２の一部に跨って設けられており、この長孔３３の表側開口周縁長手方向部には同じく前後方向に延在する２つの補強用の突部３４が一体に設けられている。
【００４５】
また、天井板２７には前後方向に延在する長孔３５，３６が設けられており、これら長孔３５，３６の開口周縁後方端部には上下方向に開口するスプリング係止孔３７，３８が設けられている。
【００４６】
この天井板２７の両側片２５，２６のうち右側片２６の後方端縁には、下方に折り曲げることによりアームロック片３９が一体に形成されている。
【００４７】
また、この天井板２７の右側片２６には、カートリッジ挿抜空間部２０２の上方に位置しカートリッジ挿抜方向と交差するような方向に延在する弾性変形可能なカートリッジ挿入防止アーム１１２の一方端部（アーム支持端部）が一体に設けられており、このカートリッジ挿入防止アーム１１２の他方端部（アーム自由端部）には前記ビーム１１１の凸部（後述）が前記トップカバー１０１の変形による押圧力を受けた時に前記ビーム１１１の変形によるアーム反自由端部の変位によって前記カートリッジ挿抜空間部２０２に臨むコ字状の突部１１２ａが折り曲げ形成されている。
【００４８】
そして、この天井板２７の両側片２５，２６に連設する前記ビーム１１１の幅方向略中央部には、前記トップカバー１００に向かって突出する略半球状の凸部１１１ａが一体に設けられている。
【００４９】
一方、スライド板２３の両側板２９，３０のうち右側板３０には、前後方向に延在する水平溝４０ａ，４１ａおよびこれら各水平溝４０ａ，４１ａに連通し前方から後方に向かって下る勾配をもつ傾斜溝４０ｂ，４１ｂからなる２つのカム溝４０，４１が形成されている。
【００５０】
このスライド板２３の右側板３０には、前記第２ガイド溝８（水平溝８ａ）内に臨むスライドピン４２が設けられている。
【００５１】
また、このスライド板２３の左側板２９には、前記第３ガイド溝８Ａ内に臨むスライドピン４３が設けられている。
【００５２】
この左側板２９の右側方には前記両長孔３５，３６のうち左長孔３５の裏側開口周縁に連接する中側板２９Ａが設けられており、この中側板２９Ａには前後方向に延在する水平溝２９ａ１，２９ｂ１およびこれら各水平溝２９ａ１，２９ｂ１に連通し前方から後方に向かって下る勾配をもつ傾斜溝２９ａ２，２９ｂ２からなる２つのカム溝２９ａ，２９ｂが設けられている。
【００５３】
４４はカートリッジ排出用のエジェクト釦で、前記傾斜突子３１がその内部に臨む貫通窓４５ａおよび後述するストッパに前記スライドピン４２が前記水平溝８ａに沿って移動するストローク内において当接可能な接触子４５ｂを有し前方から後方に向かって拡がる幅寸法をもつ平面視略台形状の操作片４５と、この操作片４５の後方端縁両側部に一体に形成され前記天井板２７の前方端面にエジェクト釦装着状態において各先端部４６ａ，４７ａが当接する２つの案内子４６，４７とからなり、前記取付片３２に着脱自在に設けられている。
【００５４】
４８はディスクカートリッジＤの両側縁を挿抜自在に保持するカートリッジホルダーで、前記ヘッドアーム２０のヘッド２１が臨む開口窓４９ａおよび後述するカートリッジシャッター開放用の押圧片が臨むガイド孔４９ｂを有し下方に開口する断面視略コ字状のホルダー本体４９と、このホルダー本体４９の両側部下方端縁に折り曲げ形成されカートリッジ挿入案内用の傾斜部５０ａをその先端部に有するカートリッジ載置片５０とからなり、前記スライド板２３と前記シャーシ１との間に昇降自在に設けられている。
【００５５】
このうちホルダー本体４９の右側側端部には前記第１ガイド溝７および前記各カム溝４０，４１内に臨む第１ホルダーピン５１と第２ホルダーピン５２が設けられており、前方端部両側縁には前記各スプリング係止孔３７，３８に対応する左右２つのスプリング係止片５３，５４が切り起こし形成されている。
【００５６】
このホルダー本体４９の左側側端部には、前記第１ホルダーピン５１に対応し前記側部壁７Ａの第４ガイド溝７Ａ１および前記カム溝２９ａ，２９ｂ内に臨む第３ホルダーピン５５と第４ホルダーピン５５Ａが設けられている。
【００５７】
そして、このホルダー本体４９の前方端縁右側部には、前記長孔３３にカートリッジアンローディング状態において挿通し前記スライド板２３をディスクカートリッジＤの挿入方向に移動規制する側面視略台形状のストッパ５６が一体に設けられている。
【００５８】
また、このホルダー本体４９には前記開口窓４９ａの前方に位置し前記カートリッジ挿入防止アーム１１２の突部１１２ａが臨む貫通窓４９ｃが設けられており、この貫通窓４９ｃの開口周縁には前記アーム１１２の先端部近傍に位置するアーム変形防止用の突子５７ａを有する立ち上がり片５７が一体に設けられている。
【００５９】
そして、このホルダー本体４９には、前記開口窓４９ａと前記ガイド孔４９ｂとの間に位置するスプリング装着片５８とスプリング係止片５９が切り起こし形成されている。
【００６０】
６０は前記スライド板２３を前方に付勢する引張コイルスプリングで、両端部が前記スプリング係止孔３７，３８と前記スプリング係止片５３，５４に係止されている。
【００６１】
６１はシャッター開閉アームを兼用するトリガーアームで、前記アームロック片３９に対応する第１係合面６２ａと第２係合面６２ｂを有する平面視略扇形状の第１アーム６２と、この第１アーム６２に一体に形成され前記ガイド孔４９ｂ内に臨むシャッター押圧片６３ａおよび前記スプリング係止片５９に対応するスプリング係止片６３ｂを有する平面視略短冊状の第２アーム６３とからなり、前記ホルダー本体４９に支軸６４を介して回動自在に保持されている。
【００６２】
６５はディスクカートリッジＤのシャッターｄを閉塞する方向に前記トリガーアーム６１を回動付勢する捩りコイルスプリングで、巻線部が前記スプリング装着片５８に装着され、かつ両端部が各々前記スプリング係止片５９，６３ｂに係止されている。
【００６３】
６６〜６８は各々ディスク（図示せず）の書き込み可否を検出する第１スイッチとディスクカートリッジＤの有無を検出する第２スイッチとディスク種類（２ＤＤ，２ＨＤ，２ＦＤ）を検出する第３スイッチで、前記シャーシ１上の回路基板６９に接続されている。
【００６４】
なお、図中符号ａ１およびａ２は各々ディスクカートリッジＤの挿入方向と引き抜き方向を示す。
【００６５】
また、符号ｂ１，ｂ２およびｃ１，ｃ２は各々トリガーアーム６１の回動方向とカートリッジホルダー４８の昇降方向を示す。
【００６６】
このように構成されたディスク装置においては、トップカバー１０１に上方から図４（Ａ）に示すように外力Ｆが作用すると、トップカバー１０１が変形してビーム１１１の凸部１１１ａを押圧し、この押圧によって同図（Ｂ）に示すようにビーム１１１が下方に反るように変形すると共に、カートリッジ挿入防止アーム１１２がアーム支持端部からアーム自由端部に向かって変位量を漸次大きくするように変形する。
【００６７】
このとき、ビーム１１１の最大変位量は凸部１１１ａの変位量であるが、この凸部１１１ａの変位量よりカートリッジ挿入防止アーム１１２の突部１１２ａの変位量が大きくなる。
【００６８】
したがって、本実施例においては、トップカバー１０１の変形量が小さくても突部１１２ａによってカートリッジ挿抜空間部２０２に対するディスクカートリッジＤの挿入を阻止することができる。
【００６９】
因に、本発明におけるディスク装置のカートリッジローディングおよびカートリッジアンローディングは、次に示すようにして行われる。
【００７０】
先ず、カートリッジローディングは、カートリッジホルダー４８内にディスクカートリッジＤを図３にａ１で示す方向に挿入することにより行う。
【００７１】
このとき、トリガーアーム６１が捩りコイルスプリング６５の弾撥力に抗してシャッターｄ（ディスクカートリッジＤ）を開放するような方向すなわち図３にｂ１で示す方向に回動し、アームロック片３９が第１係合面６２ａとの係合状態を解除して第２係合面６２ｂに係合するため、スライド板２３が引張コイルスプリング６０の弾撥力によって同図にａ２で示す方向に前進する。
【００７２】
また、第２ホルダーピン５２が各カム溝４０，４１に沿って下方に移動すると共に、第４ホルダーピン５５Ａがカム溝２９ａ，２９ｂに沿って下方に移動するため、第１ホルダーピン５１および第３ホルダーピン５５が各々第１ガイド溝７と第４ガイド溝７Ａ１に沿って図３にｃ２で示す下方に移動し、カートリッジホルダー４８が同方向に移動する。
【００７３】
一方、カートリッジアンローディングは、エジェクト釦４４をディスクカートリッジＤの挿入方向すなわち図３にａ１で示す方向に押圧することにより行う。
【００７４】
このとき、スライド板２３が引張コイルスプリング６０の弾撥力に抗して図３にａ１で示す方向に後退すると共に、アームロック片３９が第２係合面６２ｂとの係合状態を解除して第１係合面６２ａに係合するため、トリガーアーム６１が捩りコイルスプリング６５の弾撥力によってシャッターｄ（ディスクカートリッジＤ）を閉塞するような方向すなわち同図にｂ２で示す方向に回動すると共に、ディスクカートリッジＤが同図にａ２で示す方向に移動する。
【００７５】
また、第２ホルダーピン５２が各カム溝４０，４１に沿って上方に移動すると共に、第４ホルダーピン５５Ａが各カム溝２９ａ，２９ｂに沿って上方に移動するため、第１ホルダーピン５１および第３ホルダーピン５５が各々第１ガイド溝７と第４ガイド溝７Ａ１に沿って図３にｃ１で示す上方に移動し、カートリッジホルダー４８が同方向に移動する。
【００７６】
このようにして、カートリッジローディングおよびカートリッジアンローディングが行われる。
【００７７】
なお、本実施例においては、カートリッジ挿入防止アーム１１２がスライド板２３に一体化する例を示したが、本発明はこれに限定されるものではなく、例えばトップカバー１０１あるいは側板４，５に一体化しても実施例と同様の効果を奏する。
【００７８】
この場合、カートリッジ挿入防止アーム（図示せず）は、トップカバー１００または側板４，５に両端支持された弾性変形可能なビーム（本実施例においてビーム１１１に相当するもの）に設けられている。
【００７９】
また、本実施例においては、カートリッジ挿入時のヘッド破壊発生を防止する場合を示したが、本発明はカートリッジ挿入防止アーム１１２をスピンドルモータのカートリッジ引き抜き側に位置付けることによりカートリッジ排出時のヘッド破壊発生を防止することができる。
【００８０】
この他、本実施例においては、フロッピィーディスク装置に適用する例を示したが、本発明はこれに限定適用されるものではなく、各種のディスクを記録・再生する他のディスク装置にも実施例と同様に適用可能である。
【００８１】
【発明の効果】
以上説明したように本発明によれば、トップカバー裏側のカートリッジ挿抜空間部上方に弾性変形可能なカートリッジ挿入防止アームを片持ち支持し、このカートリッジ挿入防止アームの自由端部にトップカバーの変形によるアーム反自由端部の変位によってカートリッジ挿抜空間部に臨む突部を設けたので、トップカバーの変形時にカートリッジ挿入防止アームの反自由端部の変位によって変位する突部の変位量がトップカバーの変位量より大きくなる。
【００８２】
したがって、トップカバーの変形量が小さくても、突部によってカートリッジ挿抜空間部に対するディスクカートリッジの挿入を阻止することできるから、ヘッドの破壊発生を確実に防止することができる。
【図面の簡単な説明】
【図１】本発明に係るディスク装置の要部を示す分解斜視図。
【図２】同じく本発明におけるディスク装置の要部を示す平面図。
【図３】本発明におけるディスク装置の全体を示す分解斜視図。
【図４】本発明におけるディスク装置のスライド板を示す平面図。
【図５】（Ａ）および（Ｂ）は本発明におけるディスク装置のカートリッジ挿入防止アームに外力が作用した場合の状態を示す図４のＡ−Ａ線断面図。
【符号の説明】
２０…ヘッドアーム
２１…ヘッド
４８…カートリッジホルダー
１０１…トップカバー
１１１…ビーム
１１１ａ…凸部
１１２…カートリッジ挿入防止アーム
１１２ａ…突部
２０２…カートリッジ挿抜空間部
Ｄ…ディスクカートリッジ
【図１】
0003551501.tif 000002
【図２】
0003551501.tif 000003
【図３】
0003551501.tif 000004
【図４】
0003551501.tif 000005
【図５】
0003551501.tif 000006